(57)【要約】【課題】受信状況によってユーザが指定した放送番組を視聴できない場合でも、ユーザの要求を十分に満足させることが可能な携帯受信機を提供する。【解決手段】携帯受信機は、ユーザが指定した放送番組の視聴に失敗した場合（Ｓ３０１）、それと同一ジャンルの放送番組であり、この失敗した時間帯から翌日以降の同時間帯に存在する放送番組をＥＰＧから検出して録画予約を設定する（Ｓ３０２）。次いで、録画予約が設定された番組を録画し（Ｓ３０３）、翌日以降に放送番組の視聴に失敗した場合（Ｓ３０４）には、この録画済みの放送番組の内の最新の放送番組をユーザに対して提示する（Ｓ３０５）。【選択図】図３
2010258674.tif 000002
【特許請求の範囲】
【請求項１】
放送用電波を受信するチューナ手段と、
前記放送用電波から放送番組を抽出するデコード手段と、
録画予約に基づいて前記放送番組を保存先に録画する録画手段と、
前記放送番組を表示する表示手段と、
前記チューナ手段、前記デコード手段、前記録画手段、および前記表示手段を制御し、制御プログラムに基づいて動作する制御手段とを備え、
前記制御プログラムは、
ユーザによって指定された視聴用放送番組に対応する受信周波数を前記チューナ手段に設定する第１機能と、
前記放送番組の番組表であるＥＰＧを前記チューナ手段を介して取得する第２機能と、
前記放送用電波の受信レベルに起因して前記視聴用放送番組を前記表示手段に表示できなかった場合に、前記ＥＰＧを参照することで、翌日以降の前記視聴用放送番組の放送開始時間よりも前の放送番組であり前記視聴用放送番組と同一ジャンルとなる単数または複数の代替用放送番組の前記録画予約を設定し、前記翌日以降に前記視聴用放送番組を前記表示手段に表示できなかった場合に前記視聴用放送番組の代わりに前記代替用放送番組を前記表示手段に表示する第３機能とを実現することを特徴とする携帯受信機。
【請求項２】
請求項１記載の携帯受信機において、
前記制御プログラムは、さらに、前記携帯受信機を駆動する電池の残量を逐次取得し、その推移を保存する第４機能を実現し、
前記第３機能は、前記電池の残量の推移に基づいて前記録画予約を設定する前記代替用放送番組の数を決定することを特徴とする携帯受信機。
【請求項３】
請求項２記載の携帯受信機において、
前記第３機能は、前記視聴用放送番組が同一時間帯に複数存在する場合、前記視聴用放送番組と同一の放送局の放送番組を優先して前記録画予約を設定することを特徴とする携帯受信機。
【請求項４】
請求項２記載の携帯受信機において、
前記制御プログラムは、さらに、前記第３機能によって複数の前記代替用放送番組の前記録画予約を設定し、この複数の代替用放送番組の録画が前記録画手段によって実行された場合、最新の前記代替用放送番組以外の前記代替用放送番組を前記保存先から削除する第５機能を実現することを特徴とする携帯受信機。
【請求項５】
請求項２記載の携帯受信機において、
前記第３機能は、前記代替用放送番組を前記表示手段に表示する前に、前記電池の残量に起因して前記代替用放送番組を最後まで再生視聴できないと判断した場合、その旨をユーザに通知し、その後、前記電池に充電が行われた場合は前記代替用放送番組の再生視聴を行い、充電が行われない場合は、前記代替用放送番組の再生視聴を抑制することを特徴とする携帯受信機。
【請求項６】
請求項２記載の携帯受信機において、
前記第３機能は、前記代替用放送番組の前記録画予約を設定した後、前記電池の残量に起因して前記録画手段による録画が最後まで実行できないと判断される前記録画予約が存在する場合、当該録画予約を前記録画手段による録画対象から一時的に除外すると共にユーザに充電を促す通知を表示し、その後、当該録画予約の開始時刻前に充電が行われた場合、当該録画予約を前記録画手段による録画対象に戻すことを特徴とする携帯受信機。
【請求項７】
ユーザによって指定された視聴用放送番組の受信に失敗した場合に、放送番組の番組表であるＥＰＧを参照し、翌日以降の前記視聴用放送番組の放送開始時間よりも前の放送番組であり前記視聴用放送番組と同一ジャンルとなる代替用放送番組を検出する第１ステップと、
前記代替用放送番組の録画を指示する第２ステップと、
前記翌日以降に前記視聴用放送番組の受信に失敗した場合に、当該視聴用放送番組の代わりに前記第２ステップでの指示に応じて録画された前記代替用放送番組の再生を指示する第３ステップとを実行することを特徴とする携帯受信機の制御プログラム。
【請求項８】
請求項７記載の携帯受信機の制御プログラムにおいて、
さらに、前記携帯受信機を駆動する電池の残量を取得する第４ステップを実行し、
前記第１ステップでは、前記第４ステップで取得した電池の残量に応じて、検出する前記代替用放送番組の数を変更し、この単数または複数の前記代替用放送番組の録画を前記第２ステップで指示することを特徴とする携帯受信機の制御プログラム。
【請求項９】
請求項７記載の携帯受信機の制御プログラムにおいて、
さらに、前記携帯受信機を駆動する電池の残量を取得する第４ステップを実行し、
前記第２ステップでは、前記代替用放送番組の放送開始時間よりも前の時間帯で前記第４ステップで取得した電池の残量が所定値よりも少なくなった場合に前記代替用放送番組の録画の指示を一時的に保留することを特徴とする携帯受信機の制御プログラム。
【発明の詳細な説明】
【技術分野】
【０００１】
本発明は、携帯受信機およびその制御プログラムに関し、特に、放送番組の視聴に際しその視聴が困難となった場合の代替え機能を備えた携帯受信機およびその制御プログラムに関するものである。
【背景技術】
【０００２】
携帯受信機の受信状況悪化などにより視聴が困難である場合、映像・音声を提示できない時間を削減する技術としては、例えば特許文献１に記載のものが知られている。また、電池残量の低下により視聴継続が困難である場合、放送番組の見落としを防ぐ方法としては、特許文献２に記載のものが知られている。
【０００３】
特許文献１では、地上デジタル放送の受信状況が悪化し、映像・音声を提示できない場合、地上デジタル放送の前に選択していた映像・音声が切替先として選択されるか、あるいは予めユーザが指定した選択候補の優先順に沿って切替先の映像・音声が提示され、地上デジタル放送の受信状態が回復した場合に、地上デジタル放送による映像・音声出力への復帰が行われる。
【０００４】
特許文献２では、携帯受信機の電池残量が低下し、現在視聴中の放送番組をその最後まで視聴することが困難である場合、この放送番組の出力に代わって当該番組内容が非常用として逐次録画され、電池残量が回復した時に、非常用として録画された番組内容が再生出力される。
【先行技術文献】
【特許文献】
【０００５】
【特許文献１】特開２００８−８５４６４号公報
【特許文献２】特開２００７−１９７７４号公報
【発明の概要】
【発明が解決しようとする課題】
【０００６】
しかし、特許文献１では、地上デジタル放送の前に選択していた映像・音声を切替先として選択するとき、静止画や音楽が選択された場合、放送番組ではないため、ユーザの要求を満たすことはできない。また、録画番組を選択した場合においても、その録画番組の記録日時が古く、情報を得る目的として録画番組を視聴する場合、ユーザの要求を満たすことはできない。
【０００７】
また、特許文献２では、ユーザが指定した放送番組を受信、および視聴できることを前提としており、受信状況の悪化などによりユーザが指定した放送番組を受信できない場合について考慮されていない。
【０００８】
本発明は、上記課題に鑑みて為されたものであり、その目的の一つは、受信状況によってユーザが指定した放送番組を視聴できない場合でも、ユーザの要求を十分に満足させることが可能な携帯受信機およびその制御プログラムを提供することにある。本発明の前記並びにその他の目的と新規な特徴は、本明細書の記述及び添付図面から明らかになるであろう。
【課題を解決するための手段】
【０００９】
本願において開示される発明のうち、代表的な実施の形態の概要を簡単に説明すれば、次のとおりである。
【００１０】
本実施の形態による携帯受信機は、受信状況によってユーザが指定した放送番組を視聴できない場合、翌日以降、前記状況に遭遇した時刻以前に放送している同一ジャンルの番組を複数録画しておくか、または前記状況に遭遇した時刻の直前に放送される同一ジャンルの番組のみ録画しておき、再度、前記状況に遭遇した場合、録画済の同一ジャンルの番組のうち、最新の番組を代わりに提示するものとなっている。これにより、ユーザに対して映像・音声を提示できない時間を短縮し、ユーザが視聴を希望する放送番組について同一ジャンルかつ最新の放送番組を提示することが可能になる。
【００１１】
また、本実施の形態による携帯受信機は、携帯受信機を駆動する電池の残量を取得すると共にその推移を保持し、前述した同一ジャンルの番組を録画する際には、この電池残量の推移に基づいて録画する番組の数を決定する。これにより、電池残量低下により携帯受信機を利用できなくなる状況に遭遇することを避けつつ、ユーザが所望する放送番組を視聴可能な技術を提供できる。このようなことから、ユーザの要求を十分に満足させることが可能になる。
【発明の効果】
【００１２】
本願において開示される発明のうち、代表的な実施の形態によって得られる効果を簡単に説明すると、受信状況悪化などの要因により放送番組を視聴できない場合、予め録画した同一ジャンルの最新の録画番組をユーザに提示することにより、ユーザの要求を十分に満足させることが可能になる。
【図面の簡単な説明】
【００１３】
【図１】本発明の実施の形態１による携帯受信機において、そのハードウェア構成の一例を示すブロック図である。
【図２】図１の携帯受信機におけるデジタル放送受信プログラムの構成例を示す図である。
【図３】本発明の実施の形態１による携帯受信機において、ユーザが指定した放送番組の受信を失敗した際の大まかな処理の流れを説明する概念図である。
【図４】図２のデジタル放送受信プログラムにおいて、その受信機制御部の動作例を示す状態遷移図である。
【図５】図４における視聴処理の動作例を示すフロー図である。
【図６】図５における選局処理の動作例を示すフロー図である。
【図７】図５における録画予約の設定の際の動作例を示すフロー図である。
【図８】図１のＥＰＧ格納部で保存されるテーブルの構成例を示す図である。
【図９】図１の電池残量統計格納部で保存されるテーブルの構成例を示す図である。
【図１０】図１の録画予約格納部で保存されるテーブルの構成例を示す図である。
【図１１】図４における録画処理の動作例を示すフロー図である。
【図１２】図１の録画番組格納部で保存されるテーブルの構成例を示す図である。
【図１３】本発明の実施の形態２による携帯受信機において、そのデジタル放送受信プログラムの構成例を示す図である。
【図１４】図１３における受信機制御部の動作例を示す状態遷移図である。
【図１５】図１４における録画処理の動作例を示すフロー図である。
【図１６】本発明の実施の形態３による携帯受信機において、そのデジタル放送受信プログラムの構成例を示す図である。
【図１７】図１６における受信機制御部の動作例を示す状態遷移図である。
【図１８】図１７における視聴処理の動作例を示すフロー図である。
【図１９】図１８における録画予約の設定の際の動作例を示すフロー図である。
【図２０】図１６のＥＰＧ格納部で保存されるテーブルの構成例を示す図である。
【図２１】本発明の実施の形態４による携帯受信機において、そのデジタル放送受信プログラムの構成例を示す図である。
【図２２】図２１における受信機制御部の動作例を示す状態遷移図である。
【図２３】図２２における視聴処理の動作例を示すフロー図である。
【図２４】本発明の実施の形態５による携帯受信機において、そのデジタル放送受信プログラムの構成例を示す図である。
【図２５】図２４における受信機制御部の動作例を示す状態遷移図である。
【図２６】図２４の録画待機格納部で保存されるテーブルの構成例を示す図である。
【図２７】図２５における録画処理の動作例を示すフロー図である。
【発明を実施するための形態】
【００１４】
以下の実施の形態においては便宜上その必要があるときは、複数のセクションまたは実施の形態に分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でも良い。
【００１５】
さらに、以下の実施の形態において、その構成要素（要素ステップ等も含む）は、特に明示した場合および原理的に明らかに必須であると考えられる場合等を除き、必ずしも必須のものではないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００１６】
以下、本発明の実施の形態を図面に基づいて詳細に説明する。なお、実施の形態を説明するための全図において、同一の部材には原則として同一の符号を付し、その繰り返しの説明は省略する。
【００１７】
（実施の形態１）
本発明の実施の形態１による携帯受信機について図１〜図１２を用いて説明する。図１は、本発明の実施の形態１による携帯受信機において、そのハードウェア構成の一例を示すブロック図である。図１の携帯受信機１０１は、キー入力受信部１０２、ＣＰＵ(Central Processing Unit)１０３、メモリ１０４、不揮発性メモリ１０６、チューナモジュール１１１、ＴＳデコーダ１１２、Ｂ−ＣＡＳ(BS-Conditional Access System)カード１１３、デスクランブラ１１４、ビデオデコーダ１１５、オーディオデコーダ１１６、電池１１７から構成される。メモリ１０４には、デジタル放送受信プログラム１０５が保持され、不揮発性メモリ１０６には、ＥＰＧ格納部１０７、電池残量統計格納部１０８、録画予約格納部１０９、録画番組格納部１１０が保持される。なお、部分受信の場合、また放送番組のコピー制御を行っていない国または地域の場合、Ｂ−ＣＡＳカード１１３、デスクランブラ１１４はハードウェア構成に含めなくてもよい。
【００１８】
該キー入力受信部１０２は、ユーザのキー入力を受け付け、キー入力の内容を、該メモリ１０４内部に格納されている該デジタル放送受信プログラム１０５に送出する。該ＣＰＵ１０３は、該デジタル放送受信プログラムを実行する。該デジタル放送受信プログラム１０５は、該キー入力受信部１０２から受信した、ユーザが指定した放送番組への選局要求に基づき、前記放送番組を送出する放送局に対応する受信周波数を該チューナモジュール１１１に設定する。
【００１９】
また、該デジタル放送受信プログラム１０５は、該チューナモジュール１１１が前記放送番組を含むＴＳ（Transport Stream）を受信できない場合、不揮発性メモリ１０６内部のＥＰＧ格納部１０７から、前記放送番組と同一ジャンルの放送番組の一覧を取得する。該デジタル放送受信プログラム１０５は、前記同一ジャンルの放送番組を検索した後、該不揮発性メモリ１０６内部の該電池残量統計格納部１０８から、翌日の、前記放送番組の受信に失敗した時刻における電池残量を予測し、前記電池残量をもとに、該不揮発性メモリ１０６内部の該録画予約格納部１０９に対して、前記同一ジャンルの番組の録画予約を１つ、または複数設定する。該デジタル放送受信プログラム１０５は、該録画予約格納部１０９の録画予約に基づき録画を実行し、録画した番組を該不揮発性メモリ１０６内部の該録画番組格納部１１０に格納する。該デジタル放送受信プログラム１０５は、再度、ユーザが指定した放送番組の受信に失敗した場合、該録画番組格納部１１０に格納されている録画番組のうち最新の録画番組を代わりに提示する。
【００２０】
該チューナモジュール１１１は、該デジタル放送受信プログラム１０５による制御または処理を介しながら、ユーザが指定した放送番組を含むＴＳを受信できた場合は、該ＴＳデコーダ１１２に前記ＴＳを送出し、前記ＴＳを受信できない場合は、該デジタル放送受信プログラム１０５に通知する。該ＴＳデコーダ１１２は、該デジタル放送受信プログラム１０５による制御または処理を介しながら次のような処理を行う。まず、該チューナモジュール１１１から前記ＴＳを取得し、前記放送番組を構成する映像ＰＥＳ（Packetized Elementary Stream）および音声ＰＥＳを取得する。ここで、前記放送番組にコピー制御が施されている場合には、該Ｂ−ＣＡＳカード１１３から復号鍵を取得し、前記復号鍵を該デスクランブラ１１４に設定し、前記映像ＰＥＳおよび前記音声ＰＥＳのスクランブルを解除する。その後、前記映像ＰＥＳおよび前記音声ＰＥＳから、映像ＥＳ（Elementary Stream）および音声ＥＳを生成した後、前記映像ＥＳを該ビデオデコーダ１１５に、前記音声ＥＳを該オーディオデコーダ１１６に送出する。
【００２１】
該ビデオデコーダ１１５は、該デジタル放送受信プログラム１０５による制御または処理を介しながら、前記映像ＥＳをデコードし、前記映像ＰＥＳに付加された提示時刻に映像をディスプレイに出力する。該オーディオデコーダ１１６は、該デジタル放送受信プログラム１０５による制御または処理を介しながら、前記音声ＥＳをデコードし、前記音声ＰＥＳに付加された提示時刻に音声をスピーカに出力する。
【００２２】
図２は、図１の携帯受信機におけるデジタル放送受信プログラム１０５の構成例を示す図である。図２のデジタル放送受信プログラム１０５は、受信機制御部２０１、チューナ制御部２０２、ＴＳ処理部２０３、デコード制御部２０４、ＥＰＧ管理部２０５、電池残量統計管理部２０６、録画制御部２０７から構成される。該受信機制御部２０１は、該キー入力受信部１０２から受信した前記放送番組への選局要求に基づき、前記放送番組を含むＴＳを送出する放送局に対応する受信周波数を、該チューナ制御部２０２に設定する。該チューナ制御部２０２は、該受信機制御部２０１から取得した前記受信周波数を該チューナモジュール１１１に設定する。
【００２３】
該ＴＳ処理部２０３は、該ＴＳデコーダ１１２と連携し、該チューナモジュール１１１および該チューナ制御部２０２を介して取得した前記ＴＳから前記放送番組を構成する映像ＰＥＳおよび音声ＰＥＳを取得する。ここで、前記放送番組にコピー制御が施されている場合、該ＴＳ処理部２０３は、該Ｂ−ＣＡＳカード１１３から復号鍵を取得し、復号鍵を該デスクランブラ１１４に設定し、前記映像ＰＥＳおよび前記音声ＰＥＳのスクランブルを解除する。そして、該ＴＳデコーダ１１２と連携して、前記映像ＰＥＳおよび音声ＰＥＳから映像ＥＳおよび音声ＥＳを生成した後、前記映像ＥＳおよび前記音声ＥＳを該デコード制御部２０４に送出する。該デコード制御部２０４は、該ＴＳ処理部２０３から取得した前記映像ＥＳ、前記音声ＥＳを、各ＥＳのデコード時刻に基づきデコードを行い、その後、該デコード制御部２０４は、映像、および音声の提示時刻に、映像をディスプレイに、音声をスピーカに出力する。
【００２４】
該ＥＰＧ管理部２０５は、該受信機制御部２０１の要求により、該ＥＰＧ格納部１０７からＥＰＧを取得し、前記ユーザが指定した放送番組と同一ジャンルの放送番組の一覧を、該受信機制御部２０１に送出する。該電池残量統計管理部２０６は、該受信機制御部２０１の要求により、該電池残量統計格納部１０８から電池残量の推移を取得する。該受信機制御部２０１は、前記放送番組の受信に失敗した時刻について、翌日の同時刻の電池残量をこの取得した電池残量の推移に基づいて予測し、この電池残量の予測値に応じて前記同一ジャンルの番組の録画予約を該録画制御部２０７に１つ、または複数設定する。該録画制御部２０７は、この設定された録画予約を該録画予約格納部１０９に登録し、この登録された録画予約に基づいて実際の録画を実行し、この録画した番組を該録画番組格納部１１０に格納する。
【００２５】
図３は、本発明の実施の形態１による携帯受信機において、ユーザが指定した放送番組の受信を失敗した際の大まかな処理の流れを説明する概念図である。Ｓ３０１にて、１月２５日の１９時に、ユーザが指定したニュース番組を視聴するために携帯受信機を起動したものの、携帯受信機がニュース番組の受信に失敗する。Ｓ３０２にて、携帯受信機は、Ｓ３０１で受信に失敗した放送番組と同一ジャンルの放送番組を翌日のＥＰＧから検索し、また、１月２６日の１９時における電池残量の予測を行い、これらに基づいて１月２６日の１５時と、１月２６日の１７時のニュース番組の録画予約を設定する。
【００２６】
Ｓ３０３にて、携帯受信機は、Ｓ３０２で録画予約した放送番組の録画を実行する。Ｓ３０４にて、ユーザが、１月２６日の１９時にニュース番組を視聴するために携帯受信機を起動し、Ｓ３０１と同じ状況に遭遇した場合、携帯受信機は、Ｓ３０３にて録画した１月２６日の１７時の録画番組を提示する（Ｓ３０５）。これによって、ユーザに対して、映像および音声が提示されない時間を短縮し、ユーザが指定した放送番組と同一ジャンルの最新の録画番組を提示できる。
【００２７】
図４は、図２のデジタル放送受信プログラム１０５において、その受信機制御部２０１の動作例を示す状態遷移図である。該受信機制御部２０１は、Ｓ４０１にて、携帯受信機内部の状態を待機状態に設定し、Ｓ４０２にて、該電池残量統計管理部２０６に対して電池残量の計測を要求し、Ｓ４０３にて、日付が変更されているかどうか判定し、日付が変更されている場合は、Ｓ４０４に移り、日付が変更されていない場合はＳ４０５に移る。Ｓ４０４にて、該受信機制御部２０１は、Ｓ４０２で計測した電池残量の推移を該電池残量統計管理部２０６を介して該電池残量統計格納部１０８に保存する。すなわち、１日分の電池残量の推移は、メモリ１０４に保持され、日付が変わった際に不揮発性メモリ１０６に格納される。
【００２８】
Ｓ４０５にて、該受信機制御部２０１は、ユーザから指定の放送番組への選局指示があるか、または現在放送番組を視聴中かどうか判定する。選局指示がある、または放送番組視聴中の場合はＳ４０６に移り、選局指示がない、または放送番組視聴中でない場合はＳ４０７に移る。Ｓ４０６にて、該受信機制御部２０１は、視聴処理を行う。視聴処理の詳細は後述する。Ｓ４０７にて、該受信機制御部２０１は、録画予約の開始時刻かどうか判定する。録画予約の開始時刻に達している場合は、Ｓ４０８に移り、録画予約の開始時刻に達していない場合はＳ４０９に移る。Ｓ４０８にて、該受信機制御部２０１は、録画処理を行う。録画処理の詳細は後述する。
【００２９】
Ｓ４０９にて、該受信機制御部２０１は、ユーザから携帯受信機の停止要求があるかどうか判定し、停止要求がない場合はＳ４１０に移り、停止要求がある場合はＳ４１１に移る。Ｓ４１０にて、該受信機制御部２０１は、携帯受信機の待機処理を行う。ここで、待機処理とは、携帯受信機が起動されており、視聴処理、録画処理、停止処理のいずれも行っておらず、ユーザからのキー入力をいつでも受け付けることができる状態を示す。Ｓ４１１にて、携帯受信機は、自身の停止処理を行う。なお、携帯受信機の停止前に電池残量の推移を電池残量統計管理部２０６を介して該電池残量統計格納部１０８に保存する。
【００３０】
図５は、図４における視聴処理Ｓ４０６の動作例を示すフロー図である。Ｓ５０１にて、該受信機制御部２０１は、ユーザが指定した放送番組を視聴中かどうか判定する。視聴中でない場合はＳ５０２に移り、視聴中の場合は処理を終える。Ｓ５０２にて、該受信機制御部２０１は、代替番組を再生中か判定する。再生している場合はＳ５０４に移り、再生していない場合はＳ５０３に移る。Ｓ５０４にて、該受信機制御部２０１は、受信レベルが復帰したかどうか判定する。受信レベルが復帰している場合はＳ５０３に移り、受信レベルが復帰していない場合は処理を終える。Ｓ５０３にて、該受信機制御部２０１は、前記放送番組への選局処理を行いＳ５０５に移る。選局処理の詳細は図６にて説明する。
【００３１】
Ｓ５０５にて、該受信機制御部２０１は、前記放送番組への選局が完了したかどうか判定する。選局が完了している場合は処理を終え、選局が完了していない場合はＳ５０６に移る。Ｓ５０６にて、該受信機制御部２０１は、該録画番組格納部１１０に代替番組があるかどうか判定する。代替番組がある場合はＳ５０８に移り、代替番組がない場合はＳ５０７に移る。Ｓ５０７にて、該受信機制御部２０１は、ユーザが指定した放送番組への選局が失敗した旨をユーザに通知し、Ｓ５０９に移る。Ｓ５０８にて、該受信機制御部２０１は、代替番組の再生を開始する。Ｓ５０９にて、該受信機制御部２０１は、同一ジャンルの放送番組を録画するかどうかユーザに尋ね、ユーザが録画を選択した場合はＳ５１０に移り、録画を選択しなかった場合は処理を終了する。Ｓ５１０にて、該受信機制御部２０１は、該録画制御部２０７を介して該録画予約格納部１０９に録画予約を設定する。この処理の詳細は図７にて記述する。
【００３２】
図６は、図５における選局処理Ｓ５０３の動作例を示すフロー図である。Ｓ６０１にて、該受信機制御部２０１は、該チューナ制御部２０２に対してユーザが指定した放送番組を送出する放送局の受信周波数を設定する。Ｓ６０２にて、該受信機制御部２０１は、該チューナ制御部２０２から受信レベルを取得し、受信レベルが閾値以上の場合はＳ６０３に移り、受信レベルが閾値未満の場合は処理を終える。Ｓ６０３にて、該ＴＳ処理部２０３は、前記放送番組を含むＴＳを取得する。Ｓ６０４にて、該ＴＳ処理部２０３は、前記ＴＳから前記放送番組を構成する映像ＰＥＳおよび音声ＰＥＳを取得する。Ｓ６０５にて、該ＴＳ処理部２０３は、該デコード制御部２０４に前記映像ＰＥＳおよび前記音声ＰＥＳを設定する。Ｓ６０６にて、該デコード制御部２０４は、前記映像ＰＥＳおよび前記音声ＰＥＳを復号して、前記映像ＰＥＳおよび前記音声ＰＥＳに付加されている提示時刻に基づき、映像および音声を、ディスプレイおよびスピーカに出力する。
【００３３】
図７は、図５における録画予約の設定Ｓ５１０の際の動作例を示すフロー図である。Ｓ７０１にて、該受信機制御部２０１は、該ＥＰＧ格納部１０７から該ＥＰＧ管理部２０５を介して同一ジャンルの放送番組を取得し、Ｓ７０２に移る。Ｓ７０２にて、該受信機制御部２０１は、該電池残量統計格納部１０８から該電池残量統計管理部２０６を介して電池残量および電池残量の推移を取得する。Ｓ７０３にて、該受信機制御部２０１は、電池残量ＶがＶｍｉｄｄｌｅ＜Ｖ＜Ｖｍａｘかつ、当日の録画予約の実行および録画番組の再生視聴に必要な電池残量を備えているかどうか判定する。必要な電池残量を備えている場合は、Ｓ７０４に移る。必要な電池残量を備えていない場合は、Ｓ７０５に移る。ここで、Ｖｍａｘは電池残量が１００％近くあることを示し、Ｖｍｉｄｄｌｅは電池残量が５０％近くあることを示している。
【００３４】
Ｓ７０４にて、該受信機制御部２０１は、該録画制御部２０７を介して該録画予約格納部１０９に同一ジャンルの放送番組の録画予約を複数登録する。Ｓ７０５にて、該受信機制御部２０１は、電池残量ＶがＶｌｏｗ＜Ｖ＜Ｖｍｉｄｄｌｅかつ、当日の録画予約の実行および録画番組の再生視聴に必要な電池残量を備えているかどうか判定する。必要な電池残量を備えている場合は、Ｓ７０６に移る。必要な電池残量を備えていない場合は、該録画制御部２０７に録画予約を設定せず、処理を終了する。ここで、Ｖｌｏｗは電池残量が２５％近くであることを示している。Ｓ７０６にて、該受信機制御部２０１は、該録画制御部２０７を介して該録画予約格納部１０９に同一ジャンルの放送番組の録画予約を１つだけ設定する。
【００３５】
すなわち、例えば、図３において、１９：００からのニュース番組の視聴に失敗した場合、受信機制御部２０１は、翌日の１５：００時点の電池残量を該電池残量統計管理部２０６の情報を元に予測し、１５：００〜と１７：００〜のニュース番組を録画するのに十分な電池残量が有ると見込まれる場合には、当該２つの番組の録画予約を行う。一方、十分な電池残量が無いと見込まれる場合には、１７：００時点の電池残量を予測し、１７：００〜のニュース番組を録画するのに十分な電池残量が有ると見込まれる場合には、当該番組の録画予約を行い、そうでない場合には、録画予約を行わない。そして、ユーザに対して代替番組の提示を行う際には、最新のニュース番組として１７：００〜のニュース番組を提示することや、または、１５：００〜と１７：００〜のいずれかのニュース番組を選択させて提示することもできる。更には、仮に１７：００〜のニュース番組が電波の受信レベルの低下により録画できなかった場合には、１５：００〜のニュース番組を提示することができる。
【００３６】
図８は、図１のＥＰＧ格納部１０７で保存されるテーブルの構成例を示す図である。該ＥＰＧ格納部１０７のテーブルは、サービスＩＤ（８０１）、ＴＳＩＤ（８０２）、イベントＩＤ（８０３）、番組名（８０４）、番組開始時間（８０５）、ジャンル（８０６）、番組長（８０７）から構成される。該受信機制御部２０１は、前述した録画予約を行う際に、このテーブルをＥＰＧ管理部２０５を介して参照し、番組開始時刻８０５やジャンル８０６等に基づいて番組名８０４を選択し、その番組を録画制御部２０７を介して録画予約する。
【００３７】
図９は、図１の電池残量統計格納部１０８で保存されるテーブルの構成例を示す図である。該電池残量統計格納部１０８のテーブルは、時刻（９０１）、月曜日の電池残量の推移（９０２）、火曜日の電池残量の推移（９０３）、水曜日の電池残量の推移（９０４）、木曜日の電池残量の推移（９０５）、金曜日の電池残量の推移（９０６）、土曜日の電池残量の推移（９０７）、日曜日の電池残量の推移（９０９）から構成される。ここで、Ｖｍａｘは、電池残量が１００％近くあることを示し、Ｖｍａｘ／２は、電池残量が５０％近くあることを示し、Ｖｍａｘ／４は、電池残量が２５％近くあることをそれぞれ示している。該受信機制御部２０１は、前述した録画予約を行う際に、このテーブルを該電池残量統計管理部２０６を介して参照し、実際に録画を行う時点での電池残量を予測し、これに基づいて録画予約を行う番組の数を決定する。
【００３８】
図１０は、図１の録画予約格納部１０９で保存されるテーブルの構成例を示す図である。該録画予約格納部１０９のテーブルは、録画予約日付(１００１)、録画開始時間(１００２)、番組長(１００３)、ジャンル(１００４)、番組名(１００５)から構成される。該録画制御部２０７は、このテーブルを参照し、このテーブルに登録されている録画予約の番組を実際に録画する。
【００３９】
図１１は、図４における録画処理Ｓ４０８の動作例を示すフロー図である。該録画制御部２０７は、Ｓ１１０１にて、該録画予約格納部１０９から録画予約を取得し、Ｓ１１０２にて、この録画予約に含まれる各番組をそれぞれの録画開始時刻から録画し、Ｓ１１０３にて、この録画した番組を該録画番組格納部１１０に格納する。
【００４０】
図１２は、図１の録画番組格納部１１０で保存されるテーブルの構成例を示す図である。該録画番組格納部１１０のテーブルは、録画予約日付（１２０１）、録画開始時間（１２０２）、番組長（１２０３）、ジャンル（１２０４）、番組名（１２０５）から構成される。該受信機制御部２０１は、前述したように、ユーザ選択による番組視聴が失敗した場合に、このテーブルの中から最新の番組を代替番組として選択し、ユーザに提供する。
【００４１】
以上のように、本実施の形態１による携帯受信機１０１において、該受信機制御部２０１は、ユーザの視聴要求に伴う放送番組を含んだＴＳを該チューナ制御部２０２を介して受信できない場合、該ＥＰＧ管理部２０５を介して前記放送番組と同一ジャンルの放送番組の一覧を取得し、また、該電池残量統計管理部２０６を介して電池残量の推移を取得した後、電池残量の推移に基づき、該録画制御部２０７に対して同一ジャンルの放送番組の録画予約を複数回、または受信に失敗した時刻の直前の１回のみ設定することにより、受信に失敗した放送番組と同一ジャンルの最新の放送番組を録画する。そして、携帯受信機１０１は、放送番組を視聴できない状況に遭遇した場合、その翌日以降は、前記状況に遭遇する直前に録画した同一ジャンルの最新の録画番組をユーザに対して提示する。
【００４２】
したがって、本実施の形態１による携帯受信機１０１を用いることで、ユーザに対して映像・音声を提示できない時間を短縮することが可能となる。また、電池残量に基づき録画予約を設定および実行することにより、電池残量低下により携帯受信機を利用できなくなる状況にユーザが遭遇する事態を回避できる。これらによって、ユーザの要求を十分に満足させることが可能になる。
【００４３】
（実施の形態２）
本発明の実施の形態２による携帯受信機について、図１３〜図１５を用いて説明する。本実施の形態２の携帯受信機において、そのメモリ１０４に実装されているデジタル放送プログラム１３０１は、図２で説明した該デジタル放送受信プログラム１０５と類似の構成を備えているが、受信機制御部１３０２と録画制御部１３０３の処理内容が異なっている。
【００４４】
図１３は、本発明の実施の形態２による携帯受信機において、そのデジタル放送受信プログラムの構成例を示す図である。図１３に示す該デジタル放送受信プログラム１３０１の構成で、図１および図２と同様の符号が付けられたブロックは、図１の該携帯受信機１０１および図２の該デジタル放送受信プログラム１０５と同様の機能をもつため説明を省略する。該受信機制御部１３０２は、該チューナ制御部２０２を介してユーザの指定した放送番組を含むＴＳを受信できない場合、該録画制御部１３０３に対して同一ジャンルの放送番組の録画予約を１回または複数回設定する。該録画制御部１３０３は、該受信機制御部１３０２から前記同一ジャンルの放送番組の録画予約が複数回設定され、これに応じて前記複数回の番組録画を全て実行した場合、最新の同一ジャンルの録画番組のみ該録画番組格納部１１０に格納し、残りの同一ジャンルの録画番組を該録画番組格納部１１０から削除する。
【００４５】
図１４は、図１３における受信機制御部１３０２の動作例を示す状態遷移図である。図１４に示す該受信機制御部１３０２の状態遷移の流れにおいて、図４と同様の符号が付けられたブロックは、図４に示す該受信機制御部２０１の状態遷移の流れと同様の機能をもつため説明を省略する。Ｓ１４０１にて、受信機制御部１３０２は、録画処理を行う。録画処理の詳細は図１５に記述する。
【００４６】
図１５は、図１４における録画処理Ｓ１４０１の動作例を示すフロー図である。図１５に示す該録画制御部１３０３の録画処理の流れにおいて、図１１と同様の符号が付けられたブロックは、図１１に示す該録画制御部２０７の録画処理の流れと同様の機能をもつため説明を省略する。該録画制御部１３０３は、Ｓ１５０１にて、該録画番組格納部１１０に同一ジャンルの番組が複数存在するか判定し、同一ジャンルの番組が複数存在する場合はＳ１５０２に移り、同一ジャンルの番組が存在しない場合は処理を終了する。Ｓ１５０２にて、該録画制御部１３０３は、該録画番組格納部１１０に最新となる同一ジャンルの録画番組のみを残し、残りの同一ジャンルの録画番組を該録画番組格納部１１０から削除する。
【００４７】
以上のように、本実施の形態２による携帯受信機において、該録画制御部１３０３は、該受信機制御部１３０２から同一ジャンルの放送番組の録画予約が複数回設定され、これに応じて前記複数回の番組録画を全て実行した場合、最新の同一ジャンルの録画番組のみ該録画番組格納部１１０に格納し、残りの同一ジャンルの録画番組を該録画番組格納部１１０から削除する。これによって、携帯受信機１０１の記憶容量（不揮発性メモリ１０６の容量）を圧迫することなく、放送番組を視聴できない状況に遭遇した場合、その翌日以降は、前記状況に遭遇する直前に録画した同一ジャンルの最新の録画番組をユーザに対して提示することが可能となる。これによって、ユーザの要求を十分に満足させることが可能になる。
【００４８】
（実施の形態３）
本発明の実施の形態３による携帯受信機について、図１６〜図２０を用いて説明する。本実施の形態３の携帯受信機において、そのメモリ１０４に実装されているデジタル放送プログラム１６０１は、図２の該デジタル放送受信プログラム１０５、および図１３の該デジタル放送受信プログラム１３０１で説明した内容と類似の構成をもつが、該受信機制御部１６０２の処理、および該ＥＰＧ管理部１６０３の処理と、該不揮発性メモリ１０６に記憶されている該ＥＰＧ格納部１６０４の内容が異なる。
【００４９】
図１６は、本発明の実施の形態３による携帯受信機において、そのデジタル放送受信プログラムの構成例を示す図である。図１６に示すデジタル放送受信プログラム１６０１の構成で、図１、図２、および図１３と同様の符号が付けられたブロックは、図１の該携帯受信機１０１、図２の該デジタル放送受信プログラム１０５、および図１３の該デジタル放送受信プログラム１３０１と同様の機能をもつため説明を省略する。
【００５０】
該受信機制御部１６０２は、該チューナ制御部２０２を介してユーザの指定した放送番組を含むＴＳを受信できない場合、該録画制御部１３０３に対して同一ジャンルの放送番組の録画予約を１回または複数回設定する。該ＥＰＧ管理部１６０３は、受信可能な放送局のＥＰＧを該ＥＰＧ格納部１６０４に格納する。また、該ＥＰＧ管理部１６０３は、該チューナ制御部２０２を介してユーザの指定した放送番組を含むＴＳを受信できない場合、該受信機制御部１６０２から受信に失敗したＴＳを送出する放送局の情報を取得し、この情報をＥＰＧと共に該ＥＰＧ格納部１６０４に格納する。
【００５１】
図１７は、図１６における受信機制御部１６０２の動作例を示す状態遷移図である。図１７に示す該受信機制御部１６０２の状態遷移の流れにおいて、図４と同様の符号が付けられたブロックは、図４に示す該受信機制御部２０１の状態遷移の流れと同様の機能をもつため説明を省略する。Ｓ１７０１にて、受信機制御部１６０２は、視聴処理を行う。視聴処理の詳細は図１８にて記述する。
【００５２】
図１８は、図１７における視聴処理Ｓ１７０１の動作例を示すフロー図である。図１８に示す該受信機制御部１６０２の視聴処理の流れにおいて、図５と同様の符号が付けられたブロックは、図５に示す該受信機制御部２０１の視聴処理の流れと同様の機能を持つため説明を省略する。Ｓ１８０１にて、該受信機制御部１６０２は、該録画制御部１３０３に録画予約を設定する。
【００５３】
図１９は、図１８における録画予約の設定Ｓ１８０１の際の動作例を示すフロー図である。図１９に示す該受信機制御部１６０２の録画予約の設定の流れにおいて、図７と同様の符号が付けられたブロックは、図７に示す該受信機制御部２０１の録画予約の設定の流れと同様の内容となるため説明を省略する。Ｓ１９０１にて、該受信機制御部１６０２は、同一時間帯に同一ジャンルの番組が複数存在するかどうか判定する。同一ジャンルの番組が複数存在する場合は、Ｓ１９０２に移り、同一ジャンルの番組が複数存在しない場合はＳ７０４に移る。Ｓ１９０２にて、同一ジャンルの番組が複数存在する場合は、該受信機制御部１６０２は、Ｓ７０６およびＳ７０８いずれの状況においても、受信に失敗したＴＳを送出する放送局の番組の予約を優先的に該録画制御部１３０３に設定する。
【００５４】
図２０は、図１６のＥＰＧ格納部１６０４で保存されるテーブルの構成例を示す図である。図２０に示す該ＥＰＧ格納部１６０４のテーブルにおいて、図８と同様の符号が付けられた列は、図８に示す該ＥＰＧ格納部１０７のテーブルと同様の機能を持つため説明を省略する。該ＥＰＧ格納部１６０４のテーブルは、図８のテーブルに対して受信失敗フラグ（２００１）と選局頻度（２００２）が加わった構成となっている。
【００５５】
受信失敗フラグ（２００１）は、受信に失敗した番組と同一ジャンルの番組のうち、該チューナ制御部２０２からの受信に失敗した放送局が送出する番組がある場合にはフラグ‘１’が設定され、それ以外の場合は‘０’が設定される。そして、該受信機制御部１６０２は、図１９のＳ７０６、またはＳ７０８において録画予約を設定する際、同一時間帯に同一ジャンルの番組が複数存在する場合は、フラグが‘１’の付された番組を優先して録画制御部１３０３に対して録画予約を設定する。これにより、ユーザの嗜好により近い番組を提示することが可能となる。
【００５６】
なお、該受信機制御部１６０２は、同一時間帯に同一ジャンルの番組が複数存在し、いずれの番組もフラグが‘０’である場合は、選局頻度（２００２）を参照し、選局頻度が高い放送局の番組を優先して録画予約を行う。この選局頻度（２００２）は、該受信機制御部１６０２がユーザによって行われた視聴番組の選局状況を監視すると共にその統計処理を行うことで得られる。例えば、図２０においては、１月２６日の８：００〜の時間帯では、複数の番組の中から７５％の確率で「ニュースヘッドライン」が選局されていることになる。
【００５７】
以上のように、本実施の形態３による携帯受信機において、該受信機制御部１６０２は、該録画制御部１３０３に録画予約を設定する際、同一ジャンルの放送番組が同一時間帯に複数存在する場合は、該チューナ制御部２０２からの受信に失敗したＴＳを送出する放送局の番組録画予約を優先して該録画制御部１３０３に設定することにより、ユーザの嗜好により近い番組を提示することが可能となる。これによって、ユーザの要求を十分に満足させることが可能になる。
【００５８】
（実施の形態４）
本発明の実施の形態４による携帯受信機について、図２１〜図２３を用いて説明する。本実施の形態４の携帯受信機において、そのデジタル放送プログラム２１０１は、図２の該デジタル放送受信プログラム１０５、図１３の該デジタル放送受信プログラム１３０１、および図１６の該デジタル放送受信プログラム１６０１で説明した内容と類似の構成をもつが、該メモリ１０４に記憶されている該受信機制御部２１０２の処理内容が異なる。
【００５９】
図２１は、本発明の実施の形態４による携帯受信機において、そのデジタル放送受信プログラムの構成例を示す図である。図２１に示すデジタル放送受信プログラム２１０１の構成で、図１、図２、図１３、および図１６と同様の符号が付けられたブロックは、図１の該携帯受信機１０１、図２の該デジタル放送受信プログラム１０５、図１３の該デジタル放送受信プログラム１３０１、および図１６の該デジタル放送受信プログラム１６０１と同様の機能をもつため説明を省略する。該受信機制御部２１０２は、該チューナ制御部２０２からユーザの指定した放送番組を含むＴＳを受信できない場合、該録画制御部１３０３に対して同一ジャンルの放送番組の録画予約を１回または複数回設定する。
【００６０】
図２２は、図２１における受信機制御部２１０２の動作例を示す状態遷移図である。図２２に示す該受信機制御部２１０２の状態遷移の流れにおいて、図４と同様の符号が付けられたブロックは、図４に示す該受信機制御部２０１の状態遷移の流れと同様の機能をもつため説明を省略する。Ｓ２２０１にて、該受信機制御部２１０２は、視聴処理を行う。視聴処理の詳細は図２３に記述する。
【００６１】
図２３は、図２２における視聴処理Ｓ２２０１の動作例を示すフロー図である。図２３に示す該受信機制御部２１０２の視聴処理の流れにおいて、図５、および図１８と同様の符号が付けられたブロックは、図５に示す該受信機制御部２０１、および図１８に示す該受信機制御部１６０２の視聴処理の流れと同様の機能を持つため説明を省略する。Ｓ２３０１にて、該受信機制御部２１０２は、該電池残量統計管理部２０６から電池残量の推移を取得すると共に、現在時刻の電池残量を取得する。そして、現在時刻の電池残量を起点として電池残量の推移に基づく傾きを反映させることで代替番組を最後まで再生視聴可能かどうか判定し、再生視聴可能な場合は、Ｓ５０８に移り、再生視聴不可能な場合はＳ２３０３に移る。Ｓ２３０２にて、該受信機制御部２１０２は、ユーザに充電を促す通知を出し、処理を終了する。
【００６２】
以上のように、本実施の形態４による携帯受信機において、該受信機制御部２１０２は、電池残量低下などの要因により録画番組を最後まで再生視聴できない場合、録画番組を再生視聴する前にユーザにその旨を通知し、その後、携帯受信機に充電が行われた場合は録画番組の再生視聴を行い、充電が行われない場合は、録画番組の再生視聴を抑制する。これにより、録画番組の再生視聴により電池残量がなくなり、携帯受信機が使用できなくなる状況を抑制することが可能となる。したがって、ユーザの要求を十分に満足させることが可能になる。
【００６３】
（実施の形態５）
本発明の実施の形態５による携帯受信機について、図２４〜図２７を用いて説明する。本実施の形態５の携帯受信機において、そのデジタル放送プログラム２４０１は、図２の該デジタル放送受信プログラム１０５、および図１６の該デジタル放送受信プログラム１６０１で説明した内容と類似の構成をもつが、該メモリ１０４に記憶されている受信機制御部２４０２および録画制御部２４０３の処理と、該不揮発性メモリ１０６の記憶内容として録画待機格納部２４０４が加わっている点が異なる。
【００６４】
図２４は、本発明の実施の形態５による携帯受信機において、そのデジタル放送受信プログラムの構成例を示す図である。図２４に示すデジタル放送受信プログラム２４０１の構成で、図１、図２、および図１６と同様の符号が付けられたブロックは、図１の該携帯受信機１０１、図２の該デジタル放送受信プログラム１０５、および図１６の該デジタル放送受信プログラム１６０１と同様の機能をもつため説明を省略する。該受信機制御部２４０２は、該チューナ制御部２０２からユーザの指定した放送番組を含むＴＳを受信できない場合、該録画制御部２４０３に対して同一ジャンルの放送番組の録画予約を１回または複数回設定する。また、該受信機制御部２４０２は、電池残量低下などの要因により、最後まで実行できないと見込まれる録画予約がある場合、当該録画予約を該録画予約格納部１０９から該録画待機格納部２４０４に移動する。
【００６５】
図２５は、図２４における受信機制御部２４０２の動作例を示す状態遷移図である。図２５に示す該受信機制御部２４０２の状態遷移の流れにおいて、図４と同様の符号が付けられたブロックは、図４に示す該受信機制御部２０１の状態遷移の流れと同様の機能をもつため説明を省略する。Ｓ２５０１にて、該受信機制御部２４０２は、電池残量ＶがＶｌｏｗより少なく、かつ該録画予約格納部１０９に録画予約が存在するかどうか判定し、条件を満たす場合はＳ２５０２に移り、条件を満たさない場合はＳ２５０３に移る。
【００６６】
Ｓ２５０２にて、該受信機制御部２４０２は、該録画予約格納部１０９の録画予約を該録画待機格納部２４０４に移動し、Ｓ４０３に移る。Ｓ２５０３にて、該受信機制御部２４０２は、Ｓ４０２に計測した時点での電池残量ＶがＶｌｏｗより多く、かつ該録画待機格納部２４０４に録画予約が存在するかどうか判定し、条件を満たす場合はＳ２５０４に移り、条件を満たさない場合はＳ４０３に移る。Ｓ２５０４にて、該受信機制御部２４０２は、該録画待機格納部２４０４の録画予約を該録画予約格納部１０９に移動し、Ｓ４０３に移る。Ｓ２５０５にて、該受信機制御部２４０２は、録画処理を行う。録画処理の詳細は図２７に記述する。
【００６７】
図２６は、図２４の録画待機格納部２４０４で保存されるテーブルの構成例を示す図である。該録画待機格納部２４０４のテーブルは、録画予約日付（２６０１）、録画開始時間（２６０２）、番組長（２６０３）、ジャンル（２６０４）、番組名（２６０５）から構成される。
【００６８】
図２７は、図２５における録画処理Ｓ２５０５の動作例を示すフロー図である。図２７に示す該録画制御部２４０３の録画処理の流れにおいて、図１１と同様の符号が付けられたブロックは、図１１に示す該録画制御部２０７の録画処理の流れと同様の機能をもつため説明を省略する。Ｓ２７０１にて、該録画制御部２４０３は、該録画予約格納部１０９または録画待機格納部２４０４に、録画予約開始時刻を過ぎた録画予約が存在するかどうか判定し、録画予約開始時刻を過ぎた録画予約が存在する場合は、Ｓ２７０２に移り、録画予約開始時刻を過ぎた録画予約が存在しない場合は処理を終了する。Ｓ２７０２にて、該録画制御部２４０３は、該録画予約格納部１０９または録画待機格納部２４０３から録画予約開始時刻を過ぎた録画予約を削除する。
【００６９】
以上のように、本実施の形態５による携帯受信機において、該受信機制御部２４０２は、電池残量低下などの要因により、最後まで実行できない録画予約が存在する場合、該録画予約格納部１０９の録画予約を録画待機格納部２４０４に移動してユーザに充電を促す通知を表示し、その後、録画予約開始時刻前に充電が行われた場合、該録画待機格納部の録画予約を該録画予約格納部に移動する。そして、該録画制御部２４０３は、該録画予約格納部１０９に登録されている録画予約を実行し、また、該録画待機格納部２４０４において前述した電池残量不足により録画予約開始時刻を経過した録画予約を削除する。
【００７０】
これにより、携帯受信機の電池残量が少ない場合に、録画予約を実行し、その録画中に、電池残量低下により録画が中断されることを未然に防ぐことができる。また、電池残量低下などの要因により録画予約を中止した後、携帯受信機が充電された場合は、中止した録画予約を再び設定することにより、録画が可能な状況において録画予約が実行されない状況を回避することができる。
【００７１】
以上、本発明者によってなされた発明を実施の形態に基づき具体的に説明したが、本発明は前記実施の形態に限定されるものではなく、その要旨を逸脱しない範囲で種々変更可能である。
【産業上の利用可能性】
【００７２】
本実施の形態による携帯受信機は、地上デジタル放送の受信機能を備えたモバイル機器に対して広く適用可能である。
【符号の説明】
【００７３】
１０１  携帯受信機
１０２  キー入力受信部
１０３  ＣＰＵ
１０４  メモリ
１０５，１３０１，１６０１，２１０１，２４０１  デジタル放送受信プログラム
１０６  不揮発性メモリ
１０７，１６０４  ＥＰＧ格納部
１０８  電池残量統計格納部
１０９  録画予約格納部
１１０  録画番組格納部
１１１  チューナモジュール
１１２  ＴＳデコーダ
１１３  Ｂ−ＣＡＳカード
１１４  デスクランブラ
１１５  ビデオデコーダ
１１６  オーディオデコーダ
１１７  電池
２０１，１３０２，１６０２，２１０２，２４０２  受信機制御部
２０２  チューナ制御部
２０３  ＴＳ処理部
２０４  デコード制御部
２０５  ＥＰＧ管理部
２０６  電池残量統計管理部
２０７，１３０３，１６０３，２４０３  録画制御部
２４０４  録画待機格納部
【図１】
2010258674.tif 000003
【図２】
2010258674.tif 000004
【図３】
2010258674.tif 000005
【図４】
2010258674.tif 000006
【図５】
2010258674.tif 000007
【図６】
2010258674.tif 000008
【図７】
2010258674.tif 000009
【図８】
2010258674.tif 000010
【図９】
2010258674.tif 000011
【図１０】
2010258674.tif 000012
【図１１】
2010258674.tif 000013
【図１２】
2010258674.tif 000014
【図１３】
2010258674.tif 000015
【図１４】
2010258674.tif 000016
【図１５】
2010258674.tif 000017
【図１６】
2010258674.tif 000018
【図１７】
2010258674.tif 000019
【図１８】
2010258674.tif 000020
【図１９】
2010258674.tif 000021
【図２０】
2010258674.tif 000022
【図２１】
2010258674.tif 000023
【図２２】
2010258674.tif 000024
【図２３】
2010258674.tif 000025
【図２４】
2010258674.tif 000026
【図２５】
2010258674.tif 000027
【図２６】
2010258674.tif 000028
【図２７】
2010258674.tif 000029